(57)【特許請求の範囲】
【請求項１】
光ファイバを介してセントラルステーション（Central Station）とリモートノード（Remote Node）との間で光伝送を行なう光通信システムであって、
前記セントラルステーションは、
前記リモートノードから自装置宛ての光伝送に用いるレーザ光を発生するチューナブルレーザダイオード（Tunable Laser Diode）と、
波長が可変であるチューナブル光バンドパスフィルタ（Optical Band-Pass Filter）と、
前記チューナブルレーザダイオードに対して、前記リモートノードの温度を示す情報に対応する波長のレーザ光を発生するように制御すると共に、前記チューナブル光バンドパスフィルタに対して、前記波長を制御したレーザ光に対応する波長のレーザ光を抽出するように制御するコントローラと、
前記リモートノードで変調されたレーザ光を受信するフォトダイオード（Photodiode）と、を備え、
前記リモートノードは、
前記セントラルステーションで発生したレーザ光に対して変調を行なう光変調器（Optical Modulator）と、
温度を測定し、測定した温度を示す情報を前記セントラルステーションに提供する温度センサ（Temperature Sensor）と、を備え、
前記リモートノードの温度に応じた波長を有するレーザ光が、前記セントラルステーションから前記リモートノードに提供され、前記リモートノードで変調されて、前記リモートノードから前記セントラルステーションへ返送され、前記セントラルステーションにおいて、前記リモートノードの温度に応じた波長を有するレーザ光が抽出されることを特徴とする光通信システム。
【請求項２】
前記コントローラは、
リモートノードの温度と、リモートノードに配置された光変調器が所望の特性を奏する波長とが対応したルックアップテーブル（Look-up Table）と、
前記ルックアップテーブルから前記リモートノードの温度を示す情報に対応する波長を特定し、前記特定した波長のレーザ光を発生するように前記チューナブルレーザダイオードを制御するコントロールシステム（Control System）と、を備えることを特徴とする請求項１記載の光通信システム。
【請求項３】
前記光変調器は、電界吸収型変調器（Electro-Absorption Modulator）、半導体光増幅器（Semiconductor Optical Amplifier）、反射型半導体光増幅器（Reflective Semiconductor Optical Amplifier）、反射型電界吸収型変調器（Reflective Electro-Absorption Modulator）のいずれかであることを特徴とする請求項１または請求項２記載の光通信システム。
【請求項４】
光ファイバを介してセントラルステーション（Central Station）とリモートノード（Remote Node）との間で光伝送を行なう光通信方法であって、
前記セントラルステーションにおいて、
チューナブルレーザダイオード（Tunable Laser Diode）が、前記リモートノードから自装置宛ての光伝送に用いるレーザ光を発生するステップと、
前記チューナブルレーザダイオードに対して、前記リモートノードの温度を示す情報に対応する波長のレーザ光を発生するように制御すると共に、波長が可変であるチューナブル光バンドパスフィルタ（Optical Band-Pass Filter）に対して、前記波長を制御したレーザ光に対応する波長のレーザ光を抽出するように制御するステップと、
前記リモートノードで変調されたレーザ光を受信するステップと、を含み、
前記リモートノードにおいて、
前記セントラルステーションで発生したレーザ光に対して変調を行なうステップと、
温度を測定し、測定した温度を示す情報を前記セントラルステーションに提供するステップと、を含み、
前記リモートノードの温度に応じた波長を有するレーザ光が、前記セントラルステーションから前記リモートノードに提供され、前記リモートノードで変調されて、前記リモートノードから前記セントラルステーションへ返送され、前記セントラルステーションにおいて、前記リモートノードの温度に応じた波長を有するレーザ光が抽出されることを特徴とする光通信方法。
【発明の詳細な説明】
【技術分野】
【０００１】
本発明は、光ファイバを介してセントラルステーション（Central Station）とリモートノード（Remote Node）との間で光伝送を行なう技術に関する。
【背景技術】
【０００２】
従来から、セントラルステーションとリモートノードの間を結ぶための光通信システムが提案されている。図８は、従来の典型的な光通信システムの概略構成を示すブロック図である。セントラルステーション１は、下りリンクの波長λｄｏｗｎのレーザ光を発生する第１のレーザダイオード（ＬＤ：Laser Diode）３、波長多重（ＷＤＭ：Wavelength Division Multiplexing）フィルタ４、光バンドパスフィルタ（ＯＢＰＦ：Optical Band-Pass Filter）５、および上りリンクの波長λｕｐのレーザ光を受信する第２のフォトダイオード（ＰＤ：Photodiode）７を備えている。
【０００３】
また、リモートノード１１は、例えば、屋外に設置される基地局等の分散アンテナ局（ＤＡＳ: Distributed Antenna System）として構成され、ＷＤＭフィルタ１２、下りリンクの波長λｄｏｗｎのレーザ光を受信する第１のＰＤ１３、上りリンク用の信号を出力する上りリンク信号部１５（Uplink signal）、半導体光変調器１７（Semiconductor based Optical Modulator）、および上りリンクの波長λｕｐのレーザ光を発生する第２のＬＤ１９を備えている。セントラルステーション１とリモートノード１１は、光ファイバ２０によって接続されている。
【０００４】
ここで、一般的に、レーザダイオードや光変調器は、温度特性を有している。屋外に設置されるリモートノード１１の環境温度が変化し、例えば、気温がＴ０からＴ１に上昇したとすると、第２のＬＤ１９や半導体光変調器１９は、その影響を受けて禁止帯幅（Bandgap）が縮小する。半導体光変調器１９については、同一波長の光に対して吸収量が増加するため、気温がＴ０のときの光強度Ｉ０に対して、Ｔ１に時の光強度Ｉ１が小さくなってしまう。一方、気温がＴ０からＴ２に低下すると、同一波長の光に対しては吸収量が減少する。その結果、Ｔ０の時の消光比ＥＲ０（Extinction Ratio）に対して、気温がＴ２のときのＥＲ２が、小さくなってしまう。
【０００５】
このように、光伝送システムでは構成デバイスの特性が温度変化により変化し、結果としてシステム全体の伝送性能が劣化するため、これを補償する必要がある。例えば、特許文献１には、光変調器の性能を最適化するために、光変調器に対して適切なバイアス電圧を提供するためのバイアスコントローラが開示されている。また、特許文献２には、温度変化による過度の波長ドリフトを避けるために、ＣＷＤＭ（Coarse Wavelength Division Multiplexing）送信機におけるレーザを、加熱または冷却する技術が開示されている。また、特許文献３には、独立した複数の光チャネルを用いる光デバイスにおいて、熱ドリフトを検出し、モニタリングし、補正する技術が開示されている。
【先行技術文献】
【特許文献】
【０００６】
【特許文献１】米国特許第８６７０６７６号明細書
【特許文献２】米国特許出願公開第２００５／０１８５６８４号明細書
【特許文献３】米国特許第８７２５０００号明細書
【発明の概要】
【発明が解決しようとする課題】
【０００７】
しかしながら、従来の技術では、アンテナ局としてのリモートノードの側に変調器のバイアスコントローラや温度調整機能が必要となったり、その他の構成が必要となったりするため、アンテナ局側の構成を簡素化することが容易ではない。特に多くのリモートノードを分散配置するＤＡＳのような構成においては、レーザダイオードが温度変化の影響を受けず、かつ光変調器の特性変動を補償できるようにしつつ、アンテナ局側の構成を極力簡素化することが望ましい。
【０００８】
本発明は、このような事情に鑑みてなされたものであり、システムの伝送性能がリモートノードの温度変化の影響を受けないようにしつつ、アンテナ局側の構成を極力簡素化することができる光通信システム、および光通信方法を提供することを目的とする。
【課題を解決するための手段】
【０００９】
（１）上記の目的を達成するために、本発明は、以下のような手段を講じた。すなわち、本発明の光通信システムは、光ファイバを介してセントラルステーション（Central Station）とリモートノード（Remote Node）との間で光伝送を行なう光通信システムであって、前記セントラルステーションは、前記リモートノードから自装置宛ての光伝送に用いるレーザ光を発生するチューナルブルレーザダイオード（Tunable Laser Diode）と、前記リモートノードの温度を示す情報に対応する波長のレーザ光を発生するように前記チューナルブレーザダイオードを制御するコントローラと、前記リモートノードで変調されたレーザ光を受信するフォトダイオード（Photodiode）と、を備え、前記リモートノードは、前記セントラルステーションで発生したレーザ光に対して変調を行なう光変調器（Optical Modulator）と、温度を測定し、測定した温度を示す情報を前記セントラルステーションに提供する温度センサ（Temperature Sensor）と、を備え、前記リモートノードの温度に応じた波長を有するレーザ光が、前記セントラルステーションから前記リモートノードに提供され、前記リモートノードで変調されて、前記リモートノードから前記セントラルステーションへ返送されることを特徴とする。
【００１０】
このように、リモートノードからセントラルステーション宛ての光伝送に用いるレーザ光を発生するチューナルブルレーザダイオードが、セントラルステーションに設けられているため、光源としてのチューナブルレーザダイオードがリモートノードにおける温度変化の影響を受けることがなくなる。また、リモートノードにおける温度を検出し、その温度を示す情報がリモートノードからセントラルステーションに提供され、セントラルステーションでは、コントローラがリモートノードの温度を示す情報に対応する波長のレーザ光を発生するようにチューナルブレーザダイオードを制御するので、温度による光変調器の動作特性の変動を予め補償することが可能となる。これにより、レーザダイオードが温度変化の影響を受けず、かつ光変調器の特性の変動を補償できるようにしつつ、リモートノードの構成を極力簡素化することが可能となる。
【００１１】
（２）また、本発明の光通信システムにおいて、前記コントローラは、リモートノードの温度と、リモートノードに配置された光変調器が所望の特性を奏する波長とが対応したルックアップテーブル（Look-up Table）と、前記ルックアップテーブルから前記リモートノードの温度を示す情報に対応する波長を特定し、前記特定した波長のレーザ光を発生するように前記チューナブルレーザダイオードを制御するコントロールシステム（Control System）と、を備えることを特徴とする。
【００１２】
このように、ルックアップテーブルからリモートノードの温度を示す情報に対応する波長を特定し、特定した波長のレーザ光を発生するようにチューナブルレーザダイオードを制御するので、波長の制御を迅速かつ確実に行なうことが可能となり、リモートノードの環境温度の変化にリアルタイムに追従することが可能となる。
【００１３】
（３）また、本発明の光通信システムは、前記リモートノードで変調されたレーザ光を受信し、前記コントローラで波長が制御されたレーザ光に対応する波長のレーザ光を抽出して、前記フォトダイオードに出力するチューナブル光バンドパスフィルタ（Optical Band-Pass Filter）をさらに備えることを特徴とする。
【００１４】
このように、コントローラで波長が制御されたレーザ光に対応する波長のレーザ光を抽出して、フォトダイオードに出力するので、チューナブルレーザダイオードで波長が変更されても、それに対応するレーザ光を抽出することが可能となる。これにより、ノイズ除去を有効に実行することが可能となる。
【００１５】
（４）また、本発明の光通信システムにおいて、前記光変調器は、電界吸収型変調器（ＥＡＭ：Electro-Absorption Modulator）、半導体光増幅器（ＳＯＡ：Semiconductor Optical Amplifier）、反射型半導体光増幅器（ＲＳＯＡ：Reflective Semiconductor Optical Amplifier）、反射型電界吸収型変調器（ＲＥＡＭ：Reflective Electro-Absorption Modulator）のいずれかであることを特徴とする。
【００１６】
この構成により、レーザダイオードが温度変化の影響を受けず、かつ光変調器の特性の変動を補償できるようにしつつ、リモートノードの構成を極力簡素化する光通信システムを、容易に構築することが可能となる。
【００１７】
（５）また、本発明の光通信方法は、光ファイバを介してセントラルステーション（Central Station）とリモートノード（Remote Node）との間で光伝送を行なう光通信方法であって、前記セントラルステーションにおいて、前記リモートノードから自装置宛ての光伝送に用いるレーザ光を発生するステップと、前記リモートノードの温度を示す情報に対応する波長のレーザ光を発生するように前記チューナルブレーザダイオードを制御するステップと、前記リモートノードで変調されたレーザ光を受信するステップと、を含み、前記リモートノードにおいて、前記セントラルステーションで発生したレーザ光に対して変調を行なうステップと、温度を測定し、測定した温度を示す情報を前記セントラルステーションに提供するステップと、を含み、前記リモートノードの温度に応じた波長を有するレーザ光が、前記セントラルステーションから前記リモートノードに提供され、前記リモートノードで変調されて、前記リモートノードから前記セントラルステーションへ返送されることを特徴とする。
【００１８】
このように、リモートノードからセントラルステーション宛ての光伝送に用いるレーザ光を発生するチューナルブルレーザダイオードが、セントラルステーションに設けられているため、光源としてのチューナブルレーザダイオードがリモートノードにおける温度変化の影響を受けることがなくなる。また、リモートノードにおける温度を検出し、その温度を示す情報がリモートノードからセントラルステーションに提供され、セントラルステーションでは、コントローラがリモートノードの温度を示す情報に対応する波長のレーザ光を発生するようにチューナルブレーザダイオードを制御するので、温度による光変調器の動作特性の変動を予め補償することが可能となる。これにより、レーザダイオードが温度変化の影響を受けず、かつ光変調器の特性の変動を補償できるようにしつつ、リモートノードの構成を極力簡素化することが可能となる。
【発明の効果】
【００１９】
本発明によれば、光源としてのチューナブルレーザダイオードがリモートノードにおける温度変化の影響を受けることがなくなる。また、温度による波長の変動を予め補償することが可能となる。これにより、レーザダイオードが温度変化の影響を受けず、かつ光変調器の特性の変動を補償できるようにしつつ、リモートノードの構成を極力簡素化することが可能となる。
【図面の簡単な説明】
【００２０】
【図１】光変調器の吸収特性の温度による変動を模式的に示す図である。
【図２】第１の実施形態に係る光通信システムの概略構成を示すブロック図である。
【図３】ルックアップテーブルの構成例を示す図である。
【図４】コントロールシステムによる波長の制御の様子を示す図である。
【図５】第２の実施形態に係る光通信システムの概略構成を示すブロック図である。
【図６Ａ】第３の実施形態に係る光通信システムの概略構成を示すブロック図である。
【図６Ｂ】ＲＳＯＡ６０７の概略構成を示す図である。
【図７Ａ】第４の実施形態に係る光通信システムの概略構成を示すブロック図である。
【図７Ｂ】ＲＥＡＭ７０７ｂの概略構成を示す図である。
【図８】従来の光通信システムの概略構成を示すブロック図である。
【発明を実施するための形態】
【００２１】
本発明者らは、アンテナ局としてのリモートノードに光源としてのレーザダイオードおよび光変調器がある場合は、温度変化による影響を補償するための構成が複雑化してしまうことに着目し、光源としてのレーザダイオードをセントラルステーション側に設けて、上りリンクでその光源を利用すると共に、リモートノードの温度情報をセントラルステーションに提供し、その温度に応じて生じる光変調器の特性の変動を補償できるように予め決められた波長のレーザ光を発生させることによって、温度変化の影響を補償すると共に、リモートノードの構成を簡素化できることを見出し、本発明に至った。
【００２２】
すなわち、本発明の光通信システムは、光ファイバを介してセントラルステーション（Central Station）とリモートノード（Remote Node）との間で光伝送を行なう光通信システムであって、前記セントラルステーションは、前記リモートノードから自装置宛ての光伝送に用いるレーザ光を発生するチューナルブルレーザダイオード（Tunable Laser Diode）と、前記リモートノードの温度を示す情報に対応する波長のレーザ光を発生するように前記チューナルブレーザダイオードを制御するコントローラと、前記リモートノードで変調されたレーザ光を受信するフォトダイオード（Photodiode）と、を備え、前記リモートノードは、前記セントラルステーションで発生したレーザ光に対して変調を行なう光変調器（Optical Modulator）と、温度を測定し、測定した温度を示す情報を前記セントラルステーションに提供する温度センサ（Temperature Sensor）と、を備え、前記リモートノードの温度に応じた波長を有するレーザ光が、前記セントラルステーションから前記リモートノードに提供され、前記リモートノードで変調されて、前記リモートノードから前記セントラルステーションへ返送されることを特徴とする。
【００２３】
これにより、本発明者らは、光源としてのチューナブルレーザダイオードがリモートノードにおける温度変化の影響を受けることをなくし、また、温度による光変調器の特性の変動を予め補償することを可能とした、その結果、レーザダイオードが温度変化の影響を受けず、かつ光変調器の特性の変動を補償できるようにしつつ、リモートノードの構成を極力簡素化することを可能とした。以下、本発明の実施形態について図面を参照しながら具体的に説明する。
【００２４】
図１は、光変調器の吸収特性の温度変化の一例として、ＥＡＭの吸収特性を示す図である。図１において、横軸が「逆方向電圧（Reverse voltage）」であり、縦軸が「透過率（Transmittance）」である。図１に示すように、温度変化によって、光変調器、即ちＥＡＭの吸収特性が変化するため、最適な動作条件も変わってしまうが、レーザ光の波長を変更することによって、温度変化を補償することが可能となる。例えば、温度Ｔ０の時には波長λ１でＥＡＭが入力電気信号に対して最適となるように動作している。一方で、波長λ２に対しては、同じ入力電気信号に対しては消光比が十分得られず、結果として光伝送性能が低下する。温度がＴ＋ΔＴに上昇すると、図１の点線に示すように、ＥＡＭの特性が変化し、波長λ１を保ったままでは信号強度が低下する。そこで、温度がＴ＋ΔＴに上昇した時には、ＥＡＭが最適動作する波長λ２に変える。すなわち、温度Ｔ＋ΔＴでの波長λ２の吸収特性が、温度Ｔでの波長λ１の吸収特性とほぼ同じになることを利用して、ＥＡＭを最適点で動作させる。
【００２５】
（第１の実施形態）
図２は、第１の実施形態に係る光通信システムの概略構成を示すブロック図である。セントラルステーション１０１は、下りリンクの波長λｄｏｗｎのレーザ光を発生する第１のＬＤ１０３、ＷＤＭ（Wavelength Division Multiplexing）フィルタ１０４、サーキュレータ１０５を備えている。また、波長と温度とが予め対応付けられたルックアップテーブル１０６で特定された波長となるように、レーザダイオード（第２のＬＤ１０９）を制御するコントロールシステム１０７、波長が可変であるチューナブルレーザとしての第２のＬＤ１０９、波長が可変であるチューナブルフィルタとしてのＯＢＰＦ（Optical Band-Pass Filter）１１１、および上りリンクの波長λｕｐのレーザ光を受信する第２のＰＤ１１３を備えている。なお、ルックアップテーブル１０６およびコントロールシステム１０７は、コントローラを構成する。
【００２６】
また、リモートノード２０１は、例えば、屋外に設置される基地局等のアンテナ局（ＤＡＳ：Distributed Antenna System）として構成される。アンテナ局としてのリモートノード２０１は、無線を用いることとするが、例えば、有線の中継局であっても良い。下りリンクの波長λｄｏｗｎのレーザ光を受信する第１のＰＤ２０３、ＷＤＭフィルタ２０４、サーキュレータ２０５、上りリンク用の信号を出力する上りリンク信号部２０６（Uplink signal）、電界吸収型変調器（ＥＡＭ：Electro-Absorption Modulator）２０７、光増幅器２０８（Optical Amplifier）、温度センサ２０９（Temperature Sensor）を備えている。セントラルステーション１０１とリモートノード２０１は、光ファイバ２００によって接続されている。
【００２７】
本実施形態では、セントラルステーション１０１からリモートノード２０１宛ての信号を下りリンクの信号と呼称し、その逆に、リモートノード２０１からセントラルステーション１０１宛ての信号を上りリンクの信号と呼称する。第１のＬＤ１０３で発生した波長λｄｏｗｎのレーザ光は、ＷＤＭフィルタ１０４、光ファイバ２００、ＷＤＭフィルタ２０４を経て第１のＰＤ２０３で受光される。
【００２８】
一方、温度センサ２０９が、リモートノード２０１の温度を測定し、測定した温度を示す情報を「M2M Communication Link」を介してセントラルステーション１０１のルックアップテーブル１０６に提供される。ここで、リモートノード２０１の温度を示す情報は、光ファイバ２００を介しても良いし、インターネット等の他のネットワークを介してセントラルステーション１０１に提供されるように構成することも可能である。
【００２９】
図３は、ルックアップテーブルの構成例を示す図である。図３に示すように、ルックアップテーブルでは、温度と光変調器（すなわちＥＡＭ２０７）の最適動作が得られる波長とが予め対応付けられている。このため、温度が定まると、波長も定まることとなる。
【００３０】
図２において、ルックアップテーブル１０６は、リモートノード２０１から取得した温度を示す情報に基づいて、レーザ光の波長を抽出する。ルックアップテーブル１０６で決定された波長は、コントロールシステム１０７に入力され、コントロールシステム１０７は、ルックアップテーブル１０６で決定された波長λｃｏｍｐのレーザ光を発生させるように、第２のＬＤ１０９を制御する。また、コントロールシステム１０７は、ＯＢＰＦ１１１に対し、入力波長λｕｐを抽出するように制御する。
【００３１】
図４は、コントロールシステム１０７による波長の制御の様子を示す図である。温度ＴがＴ０であるときの上りの光信号の波長λｕｐが、λ０であるとすると、温度ＴがＴ１に上昇したときの上りの光信号の波長λｕｐは、（λ０＋λｃｏｍｐ）とする。
【００３２】
図１において、第２のＬＤ１０９は、コントロールシステム１０７の制御を受けて、波長λ０＋λｃｏｍｐ（λｕｐと書いても良い）レーザ光を発生する。波長λ０＋λｃｏｍｐのレーザ光は、サーキュレータ１０５、ＷＤＭフィルタ１０４を介して光ファイバ２００でリモートノード２０１に伝送される。リモートノード２０１では、波長λ０＋λｃｏｍｐのレーザ光が、ＷＤＭフィルタ２０４、サーキュレータ２０５を介して、ＥＡＭ２０７に入力される。
【００３３】
ＥＡＭ２０７は、上りリンク信号部２０６から上りリンク信号の入力を受けて、光変調を行なう。ＥＡＭ２０７で光変調されたレーザ光が、光増幅器２０８、サーキュレータ２０５、ＷＤＭフィルタ２０４、光ファイバ２００を介してセントラルステーション１０１に伝送される。セントラルステーション１０１では、ＷＤＭフィルタ１０４、サーキュレータ１０５を介して、上りの光信号がＯＢＰＦ１１１に入力され、（λｕｐ＝λ０＋λｃｏｍｐ）の波長が抽出され、第２のＰＤ１１３に入力される。
【００３４】
（第２の実施形態）
図５は、第２の実施形態に係る光通信システムの概略構成を示すブロック図である。第１の実施形態と異なるのは、リモートノード２０１の光変調器が、半導体光増幅器「Semiconductor Optical Amplifier（ＳＯＡ）」となっている点である。なお、ＳＯＡ５０７は変調機能と増幅機能を兼ね備えるので、光増幅器２０８は必要な場合にのみ設ければ良い。その他の構成については、第１の実施形態と同様である。
【００３５】
（第３の実施形態）
図６Ａは、第３の実施形態に係る光通信システムの概略構成を示すブロック図である。第１の実施形態と異なるのは、リモートノード２０１の光変調器が、反射型半導体光増幅「Reflective SOA607」、すなわち、ＲＳＯＡ６０７となっている点である。これにより、リモートノード２０１にサーキュレータを設ける必要が無くなり、リモートノード２０１の構成をより簡素化させることが可能となる。
【００３６】
図６Ｂは、ＲＳＯＡ６０７の概略構成を示す図である。ＲＳＯＡ６０７は、紙面に向かって左側の端部に「anti-reflection (AR) coating」が施されており、受光したレーザ光を透過する。また、紙面に向かって右側の端部に「high reflection (HR) coating」が施されており、ここで受光したレーザ光を反射する。紙面に向かって左側からＲＳＯＡ６０７に入射したレーザ光（injected seed light）は、光変調、反射および光増幅されて、出射する（modulated light）。その他の構成については、第１の実施形態と同様である。
【００３７】
（第４の実施形態）
図７Ａは、第４の実施形態に係る光通信システムの概略構成を示すブロック図である。第１の実施形態と異なるのは、リモートノード２０１の光変調器が、反射型電界吸収変調器としての「Reflective EAM707b」、すなわち、ＲＥＡＭ７０７ｂとなっている点である。また、ＲＥＡＭ７０７ｂに加えて、ＲＥＡＭの挿入損失を補償するためのＳＯＡ７０７ａが設けられている。なお、ＳＯＡ７０７ａは変調器としては用いられず、単に通過する光信号を増幅するだけである。これらのＳＯＡ７０７ａおよびＲＥＡＭ７０７ｂは、モノリシックに集積されても良い。これにより、リモートノード２０１にサーキュレータを設ける必要が無くなり、リモートノード２０１の構成をより簡素化させることが可能となる。
【００３８】
図７Ｂは、ＲＥＡＭ７０７ｂの概略構成を示す図である。ＲＥＡＭ７０７ｂは、紙面に向かって左側の端部に「anti-reflection (AR) coating」が施されており、受光したレーザ光を透過する。また、紙面に向かって右側の端部に「high reflection (HR) coating」が施されており、ここで受光したレーザ光を反射する。紙面に向かって左側からＲＥＡＭ７０７ｂに入射したレーザ光（injected seed light）は、光変調および反射されて、出射する（modulated light）。なお、その他の構成については、第１の実施形態と同様である。
【００３９】
以上説明したように、本発明の実施形態によれば、上りの光信号の光源（第２のＬＤ１０９）を、リモートノード２０１ではなく、セントラルステーション１０１に設け、上り用の光通信に用いるため、リモートノード２０１の環境温度が変化しても、光源が影響を受けることがなくなる。また、リモートノード２０１の温度を測定し、その温度変化に基づいて、予め上りの光信号の光源の波長を変化させておくため、リモートノード２０１の光変調器、すなわち、ＥＡＭ２０７、ＳＯＡ５０７、ＲＳＯＡ６０７、またはＳＯＡ７０７ａおよびＲＥＡＭ７０７ｂが、温度変化の影響を受けたとしても、これを補償することが可能となる。これにより、レーザダイオードが温度変化の影響を受けず、かつ光変調器の特性の変動を補償できるようにしつつ、リモートノードの構成を極力簡素化することが可能となる。
【符号の説明】
【００４０】
１０１  セントラルステーション
１０３  第１のＬＤ
１０４  ＷＤＭフィルタ
１０５  サーキュレータ
１０６  ルックアップテーブル
１０７  コントロールシステム
１０９  第２のＰＤ
１１１  ＯＢＰＦ（Ｔｕｎａｂｌｅ ＯＢＰＦ）
１１３  第２のＰＤ
２００  光ファイバ
２０１  リモートノード
２０３  第１のＰＤ
２０４  ＷＤＭフィルタ
２０５  サーキュレータ
２０６  上りリンク信号部
２０７  ＥＡＭ
２０８  光増幅器
２０９  温度センサ
５０７  ＳＯＡ
６０７  ＲＳＯＡ（Reflective SOA）
７０７ａ  ＳＯＡ
７０７ｂ  ＲＥＡＭ（Reflective EAM)
【図１】
0006529064.tif 000002
【図２】
0006529064.tif 000003
【図３】
0006529064.tif 000004
【図４】
0006529064.tif 000005
【図５】
0006529064.tif 000006
【図６Ａ】
0006529064.tif 000007
【図６Ｂ】
0006529064.tif 000008
【図７Ａ】
0006529064.tif 000009
【図７Ｂ】
0006529064.tif 000010
【図８】
0006529064.tif 000011